(57)【要約】【課題】良好な遮音性を得るとのできる移動式家具を提供する。【解決手段】家具本体２の背面に形成された空間、及び天板７と室内２５の天井２２との間に形成された空隙２３に、防音断熱材９，１６を各々充填する。これにより、良好な防音性を得ることがてきる。【選択図】図４
2011062350.tif 000002
【特許請求の範囲】
【請求項１】
収納空間を有する家具本体と、前記家具本体の底部に設けられていると共に該家具本体に収納された収納状態及び該家具本体の下端から露呈して該家具本体を支持する移動状態に切り換え自在な移動体と、前記家具本体の天板の前後面と室内の天井との間を閉塞する閉塞部材とを備える移動式家具において、
前記家具本体の背面板の前方に背面仕切板が設けられ、
前記背面板と前記背面仕切板との間に第１防音材が充填され、
前記天板と前記天井と前記両閉塞部材とで形成される空隙に第２防音材が充填されている
ことを特徴とする移動式家具。
【請求項２】
前記移動家具の側板と前記室内の側壁との間に第３防音材が充填されている
ことを特徴とする請求項１記載の移動式家具。
【発明の詳細な説明】
【技術分野】
【０００１】
本発明は、防音性に優れた移動式家具に関する。
【背景技術】
【０００２】
従来、戸建住宅や集合住宅において、子供の成長、家族構成の変化、部屋の使用目的のへ変更などに応じて、部屋の広さを可変できるようにした移動式家具が種々提案されている。例えば特許文献１（特開２００２−３１５６４０号公報）には、家具本体（収納ユニット）を、その底部に取付けられているキャスタで所望の位置に移動させた後、アジャスタを床面に設置させてキャスタを浮かすことで、家具本体を床面に固定し、その後、家具本体と室内天井及び側壁との間の隙間を隙間調整部材で閉塞する技術が開示されている。
【発明の概要】
【発明が解決しようとする課題】
【０００３】
しかし、上述した文献に開示されている技術では、家具本体と室内の天井及び側壁との間の隙間を、隙間調整部材で単に閉塞したに過ぎず、更に、家具本体の底面と室内床面との間にキャスタを浮かせたことにより、比較的大きな隙間が形成されてしまい、これを隙間調整部材で閉塞したとしても、遮音性が悪く、隣室からの音漏れが生じる問題がある。
【０００４】
本発明は、上記事情に鑑み、良好な遮音性を得るとのできる移動式家具を提供することを目的とする。
【課題を解決するための手段】
【０００５】
上記目的を達成するため本発明は、収納空間を有する家具本体と、前記家具本体の底部に設けられていると共に該家具本体に収納された収納状態及び該家具本体の下端から露呈して該家具本体を支持する移動状態に切り換え自在な移動体と、前記家具本体の天板の前後面と室内の天井との間を閉塞する閉塞部材とを備える移動式家具において、前記家具本体の背面板の前方に背面仕切板が設けられ、前記背面板と前記背面仕切板との間に第１防音材が充填され、前記天板と前記天井と前記両閉塞部材とで形成される空隙に第２防音材が充填されていることを特徴とする。
【発明の効果】
【０００６】
本発明によれば、家具本体の背面及び天板と室内の天井との間に防音材がそれぞれ充填されているので、良好な防音性を得ることができる。
【図面の簡単な説明】
【０００７】
【図１】移動式家具の斜視図
【図２】移動式家具の一部断面正面図
【図３】図２のIII-III断面図
【図４】設置した状態の図３断面図
【図５】移動式家具が配設されている部屋の平面図
【発明を実施するための形態】
【０００８】
以下、図面に基づいて本発明の一実施形態を説明する。図１に示すように、本実施形態による移動式家具１の家具本体２は収納空間２ａを有している。尚、実施形態では、家具本体２として収納ラックが例示されている。
【０００９】
この家具本体２は、台座３を有し、この台座３上に、両側板４及び、この両側板４間に仕切板５が立設されていると共に、背面を閉塞する背面板としての背面化粧板６が立設され、それらの上端が天板７で閉塞されている。更に、家具本体２の収納空間２ａが仕切棚２ｂにより複数段に仕切られている。
【００１０】
又、図３、図４に示すように、背面化粧板６の前方に背面仕切板８が立設されている。この背面仕切板８は背面化粧板６とほぼ同じ大きさを有しており、両板６，８間に形成された空間に、第１防音材としての第１防音断熱材９が充填されている。この第１防音断熱材９は、発泡ウレタン樹脂等からなる防音性、断熱性を有する芯材の両面をアルミニウム合金等からなる薄板材で挟んだ積層構造を有しており、この薄板材が背面化粧板６、背面仕切板８に当接されている，
台座３は、底面を開口する箱形に形成されており、内部に形成されている空間３ａに、移動手段としての移動体１０が内装されている。図２、図３に示すように、この移動体１０は、フレーム１１を有し、このフレーム１１の底面四隅に、キャスタ１２が固設されている。又、フレーム１１の上面と台座３に形成されている空間３ａの上面との間に昇降ユニット１３が配設されている。この昇降ユニット１３としては種々のものが考えられ、例えば、ベルクランクやトッグルジョイント等を用いた倍力機構がある。
【００１１】
この昇降ユニット１３は、家具本体２が固定されている状態では、上下方向に収縮されて、キャスタ１２を台座３内に収納された収納状態にある。この状態から昇降ユニット１３を上下方向へ伸張させると、フレーム１１を介してキャスタ１２が台座３の下端から下方へ露呈し、相対的に家具本体２が持ち上げられ、家具本体２はキャスタ１２に支持された状態で床面２１上を移動可能な状態となる。
【００１２】
又、天板７の前面７ａと後面７ｂとに、閉塞部材としての上方隙間閉塞板１４が配設されている。この上方隙間閉塞板１４は、天板７の上面と室内の天井２２との間に形成される空隙２３を閉塞するもので、図２に示すように、下端が貫通されたＵ字状のねじ溝１４ａが複数箇所（図においては３箇所）に形成されており、このねじ溝１４ａを介してねじ部材１５が、天板７の前面７ａと後面７ｂとに各々螺入されている。更に、天板７の上面と天井２２との間に形成される空隙２３に、第２防音材としての第２防音断熱材１６が充填されている。この第２防音断熱材１６は、上述した第１防音断熱材９と同じ積層構造を有しており、芯材の両面に貼り合わされている薄板材が、天板７と天井２２に当接されている。
【００１３】
図５には、本実施形態による移動式家具１が、設置されている室内２５が例示されている。この室内２５は移動式家具１によって２部屋に仕切られてている。この室内２５の移動式家具１によって仕切られている各部屋には窓２５ａ，２５ｂが設けられていると共に、廊下２６側の室内側壁面２７にドア２７ａ，２７ｂが各々設けられている。本実施形態による移動式家具１は、この室内２５に予め設置されており、必要に応じて、室内側壁面２７と室外側壁面２８に沿って移動さることで、各部屋の広さを相対的に可変させることが出来る。尚、図示しないが、家具本体２の両側板４と、両壁面２７，２８との間に、第３防音材としての第３防音断熱材が充填される。
【００１４】
次に、このような構成による移動式家具１の動作について説明する。室内２５を仕切っている移動式家具１を移動させようとする場合、先ず、図２、図３に示すように、家具本体２の天板７の前後面７ａ，７ｂに固設されている上方隙間閉塞板１４を、ねじ部材１５を緩めることで、ねじ溝１４ａに沿って下方へ移動させ、この上方隙間閉塞板１４の上端を天井２２から離間させる。次いで、天板７と天井２２との間に充填されている第２防音断熱材１６を取り外す。
【００１５】
その後、台座３内に収納されている移動体１０に設けられている昇降ユニット１３を操作して、フレーム１１の底面四隅に固設されているキャスタ１２を、台座３の下端から露出させる。すると、相対的に家具本体２がリフトアップされ、この家具本体２がキャスタ１２に支持されて移動自在となる（図２の状態）。
【００１６】
この状態で移動式家具１を、図５に破線で示すように、室内側壁面２７と室外側壁面２８に沿って移動させ、所望の位置で停止させる。次いで、上述した移動体１０に設けられている昇降ユニット１３を操作して、家具本体２を降下させ、キャスタ１２を台座３内に収納する。
【００１７】
すると、台座３の下端が床面２１に設置されて、位置固定される。この場合、床面２１に、図示しないアンカーボルトを打ち込み、このアンカーボルトに家具本体２の台座３をナット止めして固定するようにしても良い。
【００１８】
その後、天板７と天井２２との間に形成されている空隙２３に第２防音断熱材１６を装填し、天板７の前面７ａと後面７ｂに当接されている上方隙間閉塞板１４を上昇させ、上端を天井２２に当接させた状態で、ねじ部材１５を螺締して固定する。この場合、天井２２にアンカーボルトを打ち込み、このアンカーボルトに上方隙間閉塞板１４をナット止めして固定するようにしても良い。
【００１９】
その結果、図４に示すように、家具本体２の下端が床面２１に当接されて、台座３と床面２１との間の防音性が保持され、又、天板７と天井２２との間の空隙２３が、第２防音断熱材１６にて防音性、断熱性が保持される。更に、家具本体２の背面に第１防音断熱材９が充填されているので、家具本体２の背面の防音性、断熱性が保持される。更に、両側板４と両壁面２７，２８との間にも防音断熱材（図示せず）が充填されている。その結果、本実施形態による移動式家具１は良好な遮音性を保持することが出来る。
【００２０】
尚、本発明は、上述した実施形態に限るものではなく、例えば家具本体２は収納ラックに限らず、洋服だんす、整理だんす、クロゼット、書棚等であっても良い。更に、家具本体２は幅方向に複数に分割されている家具部を接合することで形成するようにしても良い。
【００２１】
複数に分割されて家具部を接合して家具本体２を形成することで、室内２５の間取りに合う家具本体２を自在に設定することが出来るばかりでなく、家具本体２を分割することで、既存の室内への持ち込みが容易となる。
【００２２】
又、移動体１０は、キャスタ１２を昇降ユニット１３を用いることなく個別に昇降できる構造としたり、或いは個別に折りたたんで格納できるようにしても良い。
【符号の説明】
【００２３】
１…移動式家具、
２…家具本体、
３…台座、
４…側板、
６…背面化粧板、
７…天板、
８…背面仕切板、
９…第１防音断熱材、
１０…移動体、
１４…上方隙間閉塞板、
１６…第２防音断熱材
２３…空隙
【先行技術文献】
【特許文献】
【００２４】
【特許文献１】特開２００２−３１５６４０号公報
【図１】
2011062350.tif 000003
【図２】
2011062350.tif 000004
【図３】
2011062350.tif 000005
【図４】
2011062350.tif 000006
【図５】
2011062350.tif 000007